(57)【特許請求の範囲】
【請求項１】
内燃機関（２）のシリンダヘッド（３）内に形成され、冷却水が流れるヘッド側流路（１１）と、
前記内燃機関（２）のシリンダブロック（４）内に形成され、前記ヘッド側流路（１１）と独立して冷却水が流れるブロック側流路（２１）と、
前記ヘッド側流路（１１）から流出の冷却水を放熱させ、放熱後の冷却水を前記ヘッド側流路（１１）に流入させる第１放熱器（１２）と、
前記第１放熱器（１２）と独立して冷却水が流れるとともに、前記ブロック側流路（２１）から流出の冷却水を放熱させ、放熱後の冷却水を前記ブロック側流路に流入させる第２放熱器（２２）と、
前記ヘッド側流路（１１）と前記第１放熱器（１２）との間で冷却水が循環する第１冷却水回路（１０）と、
前記ブロック側流路（２１）と前記第２放熱器（２２）との間で冷却水が循環する第２冷却水回路（２０）と、
前記第１冷却水回路（１０）に設けられ、前記ヘッド側流路（１１）と前記第１放熱器（１２）との間で冷却水を循環させる第１循環手段（１５）と、
前記第２冷却水回路（２０）に設けられ、前記ブロック側流路（２１）と前記第２放熱器（２２）との間で冷却水を循環させる第２循環手段（２５）と、
冷却水との熱交換によって車室内に向かう送風空気を加熱する加熱用熱交換器（３１）と、
前記第１冷却水回路（１０）から前記加熱用熱交換器（３１）に流入する冷却水経路と、前記第２冷却水回路（２０）から前記加熱用熱交換器（３１）に流入する冷却水経路との一方もしくはその両方のいずれかに切り替える機能を有する第１経路切替手段（３２）と、
前記加熱用熱交換器（３１）から前記第１冷却水回路（１０）に冷却水が戻る冷却水経路と、前記加熱用熱交換器（３１）から前記第２冷却水回路（２０）に冷却水が戻る冷却水経路との一方もしくはその両方のいずれかに切り替える機能を有する第２経路切替手段（３３）と、
前記第１、第２経路切替手段（３２、３３）を制御する制御手段（４０）とを備え、
前記制御手段（４０）は、
前記加熱用熱交換器（３１）に流出入する冷却水経路が、前記第１冷却水回路（１０）から前記加熱用熱交換器（３１）に流入して前記第１冷却水回路（１０）に冷却水が戻る冷却水経路となるように、前記第１、第２経路切替手段（３２、３３）を制御する第１の制御と、
前記加熱用熱交換器（３１）に流出入する冷却水経路が、前記第２冷却水回路（２０）から前記加熱用熱交換器（３１）に流入して前記第２冷却水回路（２０）に冷却水が戻る冷却水経路となるように、前記第１、第２経路切替手段（３２、３３）を制御する第２の制御と、
前記第１、第２冷却水回路（１０、２０）の両方から冷却水が合流して前記加熱用熱交換器（３１）に流入した後、前記加熱用熱交換器（３１）流出の冷却水が分流して前記第１、第２冷却水回路（１０、２０）に流入するように、前記第１、第２経路切替手段（３２、３３）を制御する第３の制御とを実行することを特徴とする内燃機関の冷却システム。
【請求項２】
前記制御手段（４０）は、少なくとも、前記ヘッド側流路（１１）内もしくは前記ヘッド側流路（１１）から流出の冷却水の温度を検出する第１水温センサ（４１）と、前記ブロック側流路（２１）内もしくは前記ブロック側流路（２１）から流出の冷却水の温度を検出する第２水温センサ（４２）の検出結果に基づき、前記第２水温センサ（４２）で検出した冷却水温度が、所定温度よりも低く、かつ、前記第１水温センサ（４１）で検出した冷却水温度よりも低い場合に、前記第１の制御を実行し、前記第２水温センサ（４２）で検出した冷却水温度が、前記所定温度よりも低く、かつ、前記第１水温センサ（４１）で検出した冷却水温度よりも高い場合に、前記第２の制御を実行し、前記第１、第２の制御を実行した後において、前記内燃機関（２）の負荷が予め定められた所定値よりも低いと判定した場合に、前記第３の制御を実行することを特徴とする請求項１に記載の内燃機関の冷却システム。
【請求項３】
前記制御手段（４０）は、少なくとも、前記ヘッド側流路（１１）内もしくは前記ヘッド側流路（１１）から流出の冷却水の温度を検出する第１水温センサ（４１）と、前記ブロック側流路（２１）内もしくは前記ブロック側流路（２１）から流出の冷却水の温度を検出する第２水温センサ（４２）の検出結果に基づき、前記内燃機関（２）の暖機時には、前記第２水温センサ（４２）で検出した冷却水温度が前記第１水温センサ（４１）で検出した冷却水温度よりも低い場合に、前記第１の制御を実行し、前記第２水温センサ（４２）で検出した冷却水温度が前記第１水温センサ（４１）で検出した冷却水温度よりも高い場合に、前記第２の制御を実行し、前記内燃機関（２）の暖機後には、前記内燃機関（２）の負荷が予め定められた所定値よりも高いと判定した場合に、前記第２の制御を実行し、前記内燃機関（２）の負荷が前記予め定められた所定値よりも低いと判定した場合に、前記第３の制御を実行することを特徴とする請求項１に記載の内燃機関の冷却システム。
【請求項４】
前記制御手段（４０）は、少なくとも、前記第１水温センサ（４１）と前記第２水温センサ（４２）の検出結果に基づいて、前記第１の制御と、前記第２の制御と、前記第３の制御とを実行するとともに、前記第１循環手段（１５）による冷却水循環量および前記第２循環手段（２５）による冷却水循環量の制御を行うことを特徴とする請求項２または３に記載の内燃機関の冷却システム。
【発明の詳細な説明】
【技術分野】
【０００１】
本発明は、内燃機関の冷却システムに関するものである。
【背景技術】
【０００２】
内燃機関の冷却システムとして、シリンダヘッド内のヘッド側流路とシリンダブロック内のブロック側流路とを互いに独立させて設けた内燃機関の冷却システムが特許文献１に記載されている。
【０００３】
この特許文献１に記載の冷却システムは、１つのラジエータと内燃機関との間で冷却水が循環する冷却水回路が形成され、上流側分岐点で冷却水がヘッド側流路とブロック側流路の両流路に分配され、下流側合流点で両流路から流出の冷却水が合流し、合流後の冷却水がラジエータもしくはヒータコアに流入する構成となっている。さらに、この冷却システムでは、ブロック側流路の下流側に設けた流量制御弁によって、ヘッド側流路とブロック側流路への分配量を調整できるようになっている。
【先行技術文献】
【特許文献】
【０００４】
【特許文献１】特開２００５−３６７３１号公報
【発明の概要】
【発明が解決しようとする課題】
【０００５】
ところで、近年では、車両に搭載される内燃機関（エンジン）に対して、要求される出力を確保しつつ、従来よりも小型化させたいという要望がある。これを実現するために、圧縮比を上げたり、過給機付き内燃機関では過給圧を上げたりすると、ノッキングが生じる恐れがあるので、耐ノッキング性能を向上させる必要があり、耐ノッキング性能を向上させるために、シリンダヘッドを積極的に冷却することが考えられる。
【０００６】
一方、シリンダブロックについては内燃機関内部のフリクション増加を抑制するために、所定温度以上に維持する必要がある。
【０００７】
そこで、上述の冷却システムを用いた場合では、ヘッド側流路に大流量の冷却水を分配し、ブロック側流路に小流量の冷却水を分配することで、シリンダヘッドのみを積極的に冷却することが考えられる。この場合、ヘッド側流路から流出の冷却水は低温となり、ブロック側流路から流出の冷却水は高温となる。
【０００８】
しかし、上述の冷却システムでは、暖房時に、ヘッド側流路からの冷却水とブロック側流路からの冷却水とが合流して、ヒータコアに流入することとなる。このとき、ヘッド側流路からの低温大流量の冷却水と、ブロック側流路からの高温小流量の冷却水とを混合させてしまうと、混合後の冷却水温度は、ブロック側流路からの冷却水よりもヘッド側流路からの冷却水温度に近づいてしまう。
【０００９】
このため、ヘッド側流路から流出の冷却水温度を低くしようとすると、ヒータコア流入の冷却水温度も連動して低くなるので、暖房性能を維持できる温度までしか、ヘッド流出の冷却水温度を下げることができず、シリンダヘッドの冷却性能をより高めることは困難である。
【００１０】
本発明は上記点に鑑みて、ヘッド側流路とブロック側流路に対して冷却水を分配する構成と比較して、暖房性能を維持しつつ、ヘッド側流路流出の冷却水温度をより低くできる内燃機関の冷却システムを提供することを目的とする。
【課題を解決するための手段】
【００１１】
上記目的を達成するため、請求項１に記載の発明は、
シリンダヘッド（３）内に形成され、冷却水が流れるヘッド側流路（１１）と、
シリンダブロック（４）内に形成され、ヘッド側流路（１１）と独立して冷却水が流れるブロック側流路（２１）と、
ヘッド側流路（１１）から流出の冷却水を放熱させ、放熱後の冷却水をヘッド側流路（１１）に流入させる第１放熱器（１２）と、
第１放熱器（１２）と独立して冷却水が流れるとともに、ブロック側流路（２１）から流出の冷却水を放熱させ、放熱後の冷却水をブロック側流路に流入させる第２放熱器（２２）と、
ヘッド側流路（１１）と第１放熱器（１２）との間で冷却水が循環する第１冷却水回路（１０）と、
ブロック側流路（２１）と第２放熱器（２２）との間で冷却水が循環する第２冷却水回路（２０）と、
第１冷却水回路（１０）に設けられ、ヘッド側流路（１１）と第１放熱器（１２）との間で冷却水を循環させる第１循環手段（１５）と、
第２冷却水回路（２０）に設けられ、ブロック側流路（２１）と第２放熱器（２２）との間で冷却水を循環させる第２循環手段（２５）と、
冷却水との熱交換によって車室内に向かう送風空気を加熱する加熱用熱交換器（３１）と、
第１冷却水回路（１０）から加熱用熱交換器（３１）に流入する冷却水経路と、第２冷却水回路（２０）から加熱用熱交換器（３１）に流入する冷却水経路との一方もしくはその両方のいずれかに切り替える機能を有する第１経路切替手段（３２）と、
加熱用熱交換器（３１）から第１冷却水回路（１０）に冷却水が戻る冷却水経路と、加熱用熱交換器（３１）から第２冷却水回路（２０）に冷却水が戻る冷却水経路との一方もしくはその両方のいずれかに切り替える機能を有する第２経路切替手段（３３）と、
第１、第２経路切替手段（３２、３３）を制御する制御手段（４０）とを備え、
制御手段（４０）は、
加熱用熱交換器（３１）に流出入する冷却水経路が、第１冷却水回路（１０）から加熱用熱交換器（３１）に流入して第１冷却水回路（１０）に冷却水が戻る冷却水経路となるように、第１、第２経路切替手段（３２、３３）を制御する第１の制御と、
加熱用熱交換器（３１）に流出入する冷却水経路が、第２冷却水回路（２０）から加熱用熱交換器（３１）に流入して第２冷却水回路（２０）に冷却水が戻る冷却水経路となるように、第１、第２経路切替手段（３２、３３）を制御する第２の制御と、
第１、第２冷却水回路（１０、２０）の両方から冷却水が合流して加熱用熱交換器（３１）に流入した後、加熱用熱交換器（３１）流出の冷却水が分流して第１、第２冷却水回路（１０、２０）に流入するように、第１、第２経路切替手段（３２、３３）を制御する第３の制御とを実行することを特徴とする。
【００１２】
これによると、ヘッド側流路と第１放熱器との間で冷却水が循環する冷却水回路と、ブロック側流路と第２放熱器との間で冷却水が循環する冷却水回路とを独立して形成しているので、ヘッド側流出の冷却水温度を低く、ブロック側流出の冷却水温度を高くするという冷却水の温度制御が可能である。
【００１３】
さらに、加熱用熱交換器に流出入する冷却水の経路を切り替える第１、第２経路切替手段を設けているので、ヘッド側流路から流出の冷却水の温度をブロック側流路から流出の冷却水の温度よりも低くする場合には、ブロック側流路から流出の冷却水を加熱用熱交換器に流入させるとともに、ブロック側流路から流出の冷却水の温度を暖房性能維持に必要な温度とすることで、暖房性能を維持できる。
【００１４】
よって、本発明によれば、ヘッド側流路とブロック側流路に対して冷却水を分配する構成と比較して、暖房性能を維持しつつ、ヘッド側流路から流出の冷却水の温度をより低くすることが可能となる。
【００１５】
また、請求項１に記載の発明では、第１経路切替手段（３２）は、第１冷却水回路（１０）から加熱用熱交換器（３１）に冷却水が流入する冷却水経路と第２冷却水回路（２０）から加熱用熱交換器（３１）に冷却水が流入する冷却水経路との一方もしくはその両方に切り替え可能な機能を有し、第２経路切替手段（３３）は、加熱用熱交換器（３１）から第１冷却水回路（１０）に冷却水が戻る冷却水経路と、加熱用熱交換器（３１）から第２冷却水回路（２０）に冷却水が戻る冷却水経路との一方もしくはその両方のいずれかに切り替える機能を有している。
【００１７】
この場合、第１冷却水回路（１０）から流出の冷却水と第２冷却水回路（２０）から流出の冷却水との流量割合を、第１、第２循環手段によって調整したり、経路切替手段に流量割合調整機能を持たせて、この経路切替手段によって調整したりすることがより好ましい。これにより、加熱用熱交換器に流入する冷却水温度を制御でき、加熱用熱交換器で加熱後の空気温度を制御することも可能となる。
【００１８】
請求項２に記載の発明は、請求項１に記載の発明において、制御手段（４０）は、少なくとも、ヘッド側流路（１１）内もしくはヘッド側流路（１１）から流出の冷却水の温度を検出する第１水温センサ（４１）と、ブロック側流路（２１）内もしくはブロック側流路（２１）から流出の冷却水の温度を検出する第２水温センサ（４２）の検出結果に基づき、第２水温センサ（４２）で検出した冷却水温度が、所定温度よりも低く、かつ、第１水温センサ（４１）で検出した冷却水温度よりも低い場合に、第１の制御を実行し、第２水温センサ（４２）で検出した冷却水温度が、所定温度よりも低く、かつ、第１水温センサ（４１）で検出した冷却水温度よりも高い場合に、第２の制御を実行し、第１、第２の制御を実行した後において、内燃機関（２）の負荷が予め定められた所定値よりも低いと判定した場合に、第３の制御を実行することを特徴とする。請求項１に記載の発明において、このような構成を採用することができる。
また、請求項３に記載の発明のように、請求項１に記載の発明において、制御手段（４０）は、少なくとも、ヘッド側流路（１１）内もしくはヘッド側流路（１１）から流出の冷却水の温度を検出する第１水温センサ（４１）と、ブロック側流路（２１）内もしくはブロック側流路（２１）から流出の冷却水の温度を検出する第２水温センサ（４２）の検出結果に基づき、内燃機関（２）の暖機時には、第２水温センサ（４２）で検出した冷却水温度が第１水温センサ（４１）で検出した冷却水温度よりも低い場合に、第１の制御を実行し、第２水温センサ（４２）で検出した冷却水温度が第１水温センサ（４１）で検出した冷却水温度よりも高い場合に、第２の制御を実行し、内燃機関（２）の暖機後には、内燃機関（２）の負荷が予め定められた所定値よりも高いと判定した場合に、第２の制御を実行し、内燃機関（２）の負荷が予め定められた所定値よりも低いと判定した場合に、第３の制御を実行するようにすることもできる。
【００１９】
また、請求項４に記載の発明は、請求項２または３に記載の発明において、制御手段（４０）は、少なくとも、第１水温センサ（４１）と第２水温センサ（４２）の検出結果に基づいて、第１の制御と、第２の制御と、第３の制御とを実行するとともに、第１循環手段（１５）による冷却水循環量および第２循環手段（２５）による冷却水循環量の制御を行うことを特徴とする。
【００２０】
なお、この欄および特許請求の範囲で記載した各手段の括弧内の符号は、後述する実施形態に記載の具体的手段との対応関係を示すものである。
【図面の簡単な説明】
【００２１】
【図１】本発明の第１実施形態における内燃機関の冷却システムの全体構成を示す模式図である。
【図２】図１中の第１経路切替弁３２の縦断面図である。
【図３】図２の第１経路切替弁３２による冷却水経路の各切替状態を示す図である。
【図４】各エンジン運転状態でのヘッド側流路１１、ブロック側流路２１の冷却水温度および冷却水流量を示す図である。
【図５】始動・暖機前半時かつ空調装置作動時での冷却水の循環経路を示す図である。
【図６】暖機後半時かつ空調装置作動時での冷却水の循環経路を示す図である。
【図７】高負荷運転時かつ空調装置作動時での冷却水の循環経路を示す図である。
【図８】低負荷運転時かつ空調装置作動時での冷却水の循環経路を示す図である。
【図９】空調装置停止時での冷却水の循環経路を示す図である。
【発明を実施するための形態】
【００２２】
以下、本発明の実施形態について図に基づいて説明する。なお、各図面において、互いに同一もしくは均等である部分には、説明の簡略化を図るべく、図中、同一符号を付してある。
【００２３】
（第１実施形態）
図１に、本実施形態における内燃機関の冷却システムの全体構成を示す。本実施形態の内燃機関の冷却システム１は、内燃機関（エンジン）および走行用電動モータの双方から直接駆動力を得て走行可能なパラレル型のハイブリッド車に搭載されるものである。
【００２４】
図１に示すように、内燃機関の冷却システム１は、エンジン２のシリンダヘッド３内に形成されたヘッド側流路１１と、エンジン２のシリンダブロック４内に形成されたブロック側流路２１と、ヘッド側流路１１から流出の冷却水を放熱させる第１ラジエータ１２と、ブロック側流路２１から流出の冷却水を放熱させる第２ラジエータ２２とを備えている。そして、ヘッド側流路１１と第１ラジエータ１２との間で冷却水が循環する第１冷却水回路１０と、ブロック側流路２１と第２ラジエータ２２との間で冷却水が循環する第２冷却水回路２０とが独立して形成されている。
【００２５】
エンジン２のシリンダヘッド３は、ピストンが往復運動するシリンダボア（円柱状の穴）の上死点側の開口部を閉塞して燃焼室を構成するブロック体である。シリンダブロック４は、シリンダボアを構成するブロック体である。
【００２６】
ヘッド側流路１１およびブロック側流路２１は、シリンダの周囲近傍に形成されたウォータジャケットと呼ばれる冷却水流路であり、それぞれ、シリンダヘッド３およびシリンダブロック４を冷却する冷却水が流れる。冷却水は、水もしくは添加成分を含む水である。
【００２７】
シリンダヘッド３では、シリンダヘッド３に設けられたヘッド側冷却水入口３ａから冷却水が流入し、ヘッド側流路１１を冷却水が流れる。そして、ヘッド側流路１１通過後の冷却水がシリンダヘッド３に設けられたヘッド側冷却水出口３ｂから流出する。
【００２８】
一方、シリンダブロック４では、シリンダブロック４に設けられたブロック側冷却水入口４ａから冷却水が流入し、ブロック側流路２１を冷却水が流れる。そして、ブロック側流路２１通過後の冷却水がシリンダブロック４に設けられたブロック側冷却水出口４ｂから流出する。
【００２９】
このように、ヘッド側流路１１およびブロック側流路２１の一方を流れた冷却水は、他方に流入することなく、各冷却水出口３ｂ、４ｂからエンジン２の外部に流出する構成となっている。すなわち、ヘッド側流路１１とブロック側流路２１とを冷却水が独立して流れる構成となっている。
【００３０】
第１、第２ラジエータ１２、２２は、冷却水と空気との熱交換によって、冷却水を放熱させる放熱器である。第１ラジエータ１２の方が第２ラジエータ２２よりも冷却性能（放熱性能）が高く、第１ラジエータ１２の方が第２ラジエータ２２よりも放熱後の冷却水の温度を低くできる。具体的には、冷却水と空気とが熱交換する熱交換コア部の面積が、第１ラジエータ１２の方が第２ラジエータ２２よりも広くなっている。なお、熱交換コア部の面積が同じでも、第１ラジエータ１２に送風するファンの送風能力を、第２ラジエータ２２よりも高くする等により、第１ラジエータ１２の冷却性能を高くしても良い。
【００３１】
第１冷却水回路１０には、第１ラジエータ１２を迂回して冷却水が流れる第１バイパス通路１３が設けられている。この第１バイパス通路１３とヘッド側流路１１との間で冷却水が循環する、いわゆる内部循環回路が形成される。同様に、第２冷却水回路２０には、第２ラジエータ２２を迂回して冷却水が流れる第２バイパス通路２３が設けられている。この第２バイパス通路２３とブロック側流路２１との間で冷却水が循環する、いわゆる内部循環回路が形成される。
【００３２】
第１、第２バイパス通路１３、２３の下流側端部には、それぞれ、第１、第２サーモスタット（Ｔ／Ｓ）１４、２４が設けられている。この第１、第２サーモスタット１４、２４は、冷却水の温度に応じて、ラジエータ１２、２２側へ流れる冷却水の流量を変更する流量変更手段である。ラジエータ１２、２２側を開弁する温度は、第１サーモスタット１４の方が第２サーモスタット２４よりも低くなっている。
【００３３】
第１、第２冷却回路１０、２０には、それぞれ、冷却水の循環手段および流量調整手段としての第１、第２電動ウォータポンプ１５、２５が設けられている。第１、第２電動ウォータポンプは、電動モータで駆動するものであり、後述するエンジンＥＣＵ４０からの制御信号によって、回転数（冷却水流量）が制御される。これにより、第１、第２冷却水回路の冷却水循環量が制御される。
【００３４】
第１電動ウォータポンプ１５は、第１サーモスタット１４とヘッド側冷却水入口３ａとの間に設けられており、第２電動ウォータポンプ２５は、第２サーモスタット２４とブロック側冷却水入口４ａとの間に設けられている。
【００３５】
また、第１冷却水回路１０のヘッド側流路１１の出口側と、第２冷却水回路２０のブロック側流路２１の出口側との両方に、各冷却水回路１０、２０から１つのヒータコア３１へ冷却水が至り、再び各冷却水回路１０、２０に冷却水が戻るヒータコア回路３０が接続されている。ちなみに、ヒータコア３１は、冷却水との熱交換によって車室内に向かう送風空気を加熱する加熱用熱交換器である。
【００３６】
ヒータコア回路３０を具体的に説明する。第１冷却水回路１０のヘッド側冷却水出口３ｂの下流側に、ヘッド側流路１１から流出の冷却水をヒータコア３１に流入させるための第１分岐部１６と、ヒータコア３１通過後の冷却水を第１冷却水回路１０に戻すための第１合流部１７とが設けられている。同様に、第２冷却水回路２０のブロック側冷却水出口４ｂの下流側に、ブロック側流路２１から流出の冷却水をヒータコア３１に流入させるための第２分岐部２６と、ヒータコア３１通過後の冷却水を第２冷却水回路２０に戻すための第２合流部２７とが設けられている。
【００３７】
そして、ヒータコア３１の上流側に、第１分岐部１６に連なる冷却水通路と、第２分岐部２６に連なる冷却水通路とが合流する第３合流部が設けられており、この第３合流部に第１経路切替弁３２が配置されている。また、ヒータコア３１の下流側には、第１合流部１７に連なる冷却水通路と、第２合流部２７に連なる冷却水通路とに分岐する第３分岐部が設けられており、この第３分岐部に第２経路切替弁３３が配置されている。
【００３８】
第１、第２経路切替弁３２、３３は、ヒータコア３１に流出入する冷却水の経路を切り替える経路切替手段であり、第１冷却水回路１０からヒータコア３１に流入して第１冷却水回路１０に冷却水が戻る冷却水経路と、第２冷却水回路１０からヒータコア３１に流入して第２冷却水回路２０に冷却水が戻る冷却水経路との一方もしくはその両方のいずれかに切り替える。
【００３９】
第１経路切替弁３２は、第１冷却水回路１０からヒータコア３１に流入する冷却水経路と、第２冷却水回路１０からヒータコア３１に流入する冷却水経路との一方もしくはその両方のいずれかに切り替える機能を有するものである。第１経路切替弁３２は、第１、第２冷却水回路１０、２０からの冷却水を合流させてヒータコア３１に流入させる場合に、第１、第２冷却水回路１０、２０の一方から他方への冷却水の流入を防止する機能を有している。また、第１経路切替弁３２は、空調ＯＦＦ時にヒータコア３１での不要な放熱を避けるために、閉弁可能な構造となっており、ヒータコア回路３０の循環を停止可能な機能も有している。
【００４０】
第１経路切替弁３２としては、具体的には、図２に示す構造のものが採用可能である。ここで、図２に、第１経路切替弁３２の縦断面図を示す。また、図３に、図２の第１経路切替弁３２による冷却水経路の各切替状態を示す。
【００４１】
図２に示す第１経路切替弁３２は、第１冷却水回路１０側に接続される入口側の冷却水通路３２１と、第２冷却水回路２０側に接続される入口側の冷却水通路３２２と、ヒータコア３１側に接続される出口側の冷却水通路３２３と、入口側の冷却水通路３２１、３２２の合流部に設けられた切替ドア３２４、３２５とを備えている。この切替ドア３２４、３２５は、２枚の板状ドアで構成されており、２枚の板状ドアのそれぞれが一端を軸として独立して回動可能なバタフライ構造となっている。
【００４２】
そして、この第１経路切替弁３２では、２枚の切替ドア３２４、３２５が同じ位置に移動して、図３（ａ）、（ｂ）に示すように、２つの入口側の冷却水通路３２１、３２２の一方のみを開いた状態としたり、図３（ｃ）に示すように、両方を開いた状態としたりすることができる。また、図３（ｄ）に示すように、２枚の切替ドア３２４、３２５が異なる位置に移動して、２つの入口側の冷却水通路３２１、３２２の両方を閉じた状態とすることができる。
【００４３】
なお、本実施形態では、第１経路切替弁３２として、図２に示す構造のものを採用しているが、本実施形態と同様の機能を有していれば、一般的なロータリバルブ等の他の構造のものを採用しても良い。
【００４４】
第２経路切替弁３３は、ヒータコア３１から第１冷却水回路１０に冷却水が戻る冷却水経路と、ヒータコア３１から第２冷却水回路２０に冷却水が戻る冷却水経路との一方もしくはその両方のいずれかに切り替える機能を有するものである。第２経路切替弁３３としては、このような機能を有するものであれば、一般的な切替弁が採用可能である。
【００４５】
また、第２経路切替弁３３の下流側であって第１冷却水回路１０の第１合流部１７よりも上流側の冷却水通路および第２経路切替弁３３の下流側であって第２冷却水回路２０の第２合流部２７よりも上流側の冷却水通路には、それぞれ、逆流を防止するための逆止弁３４、３５が設けられている。
【００４６】
冷却システム１は、エンジン制御装置（以下、エンジンＥＣＵという）４０を備えている。エンジンＥＣＵ４０は、入力側に接続された各種センサからの入力信号に基づいて、出力側に接続された冷却システム１の各種機器の作動を制御する制御手段である。なお、このエンジンＥＣＵ４０は、図示しない燃料噴射装置等の各種機器の作動も制御するが、この点については従来と同様であるため説明を省略する。
【００４７】
具体的には、エンジンＥＣＵ４０の入力側に、エンジン運転状態を検知する各種センサとして、ヘッド側流路１１から流出した冷却水の温度を検出する第１水温センサ４１、ブロック側流路２１から流出した冷却水の温度を検出する第２水温センサ４２、エンジン回転数を検出する回転数センサ４３およびエンジンの吸入空気量を検出する吸気量センサ４４等が接続されている。なお、他のセンサとしては、アクセルペダルの踏み込み量を検出するセンサや、車速を検出するセンサ等が挙げられる。
【００４８】
一方、エンジンＥＣＵ４０の出力側には、冷却システム１の第１、第２電動ウォータポンプ１５、２５および第１、第２経路切替弁３２、３３が接続されている。したがって、  エンジンＥＣＵ４０は、エンジン冷却制御プログラムを実行することにより、エンジン運転状態に応じて、第１、第２電動ウォータポンプ１５、２５および第１、第２経路切替弁３２、３３を制御する。
【００４９】
また、エンジンＥＣＵ４０は、図示しない空調制御装置（以下、エアコンＥＣＵという）と電気的に接続されており、エアコンＥＣＵと通信可能に構成されている。これにより、エンジンＥＣＵ４０は、空調装置の作動・停止等の運転状態に関する情報が入力される。
【００５０】
次に、エンジンＥＣＵが実行するエンジンの冷却制御について説明する。
【００５１】
エンジンＥＣＵ４０は、エンジンの冷却制御プログラムを実行することにより、エンジンの運転状態および空調装置の運転状態に応じて、第１、第２経路切替弁３２、３３および第１、第２電動ウォータポンプ１５、２５を制御する。
【００５２】
ここで、図４に、各エンジン運転状態でのヘッド側流路１１、ブロック側流路２１の冷却水温度および冷却水流量を示す。また、図５〜９に、各エンジン運転状態での冷却水の循環経路を示す。
【００５３】
〈始動・暖機前半時かつ空調Ｏｎ時〉    
図５は、始動・暖機前半時かつ空調装置作動（空調ＯＮ）時での冷却水の循環経路を示している。ここでいう始動、暖機前半時とは、ブロック側流路２１の冷却水温度が、所定温度よりも低く、かつ、ヘッド側流路１１の冷却水温度よりも低い場合である。したがって、エンジンＥＣＵ４０は、第２水温センサ４２で検出した冷却水温度が、所定温度よりも低く、かつ、第１水温センサ４１で検出した冷却水温度よりも低い場合に、始動・暖機前半時であると判定する。
【００５４】
始動、暖機前半時では、ヘッド側流路１１、ブロック側流路２１から流出の冷却水は、どちらもサーモスタット１４、２４の開弁温度まで水温が上昇していないため、第１、第２ラジエータ１２、２２を経由せずに、それぞれ、内部循環回路を通って第１、第２電動ウォータポンプ１５、２５の上流側に流入する。このとき、ヘッド側流路１１とブロック側流路２１とは、冷却水が独立して流れる構成であるため、燃焼室からの伝熱により、ヘッド側流路１１内の冷却水の方がブロック側流路２１内の冷却水よりも水温上昇が早い。
【００５５】
そこで、始動、暖機前半時かつ空調ＯＮ時では、エンジンＥＣＵ４０は、ヒータコア３１に流出入する冷却水経路が、第１冷却水回路１０からヒータコア３１に流入して第１冷却水回路１０に冷却水が戻る冷却水経路となるように、第１、第２経路切替弁３２、３３を制御する。
【００５６】
このとき、図４に示すように、エンジンＥＣＵ４０は、ヘッド側流路１１を流れる冷却水の流量が、エンジン暖機を促進しつつ、空調（暖房）のために要求される必要最低限の流量（空調要求流量）となるように、第１ウォータポンプ１５の回転数（冷却水流量）を制御する。ちなみに、空調要求流量は、ヒータコア３１の暖房能力を確保するために、冷却水温度に応じてヒータコア３１に必要な冷却水流量が定められるが、図４では、便宜上、空調要求流量を一定量としている。
【００５７】
一方、ブロック側流路２１の冷却水流量については、エンジン暖機を促進できる流量であれば良いので、エンジンＥＣＵ４０は、ブロック側流路２１の冷却水流量が極小流量となるように、第２ウォータポンプ２５の回転数（冷却水流量）を制御する。なお、第２ウォータポンプ２５を停止させても良い。
【００５８】
これにより、始動、暖機前半時では、水温上昇が速いヘッド側流路１１から流出の冷却水のみがヒータコア３１に流入するので、即効暖房が可能となる。
【００５９】
また、本実施形態では、ヘッド側流路１１とブロック側流路２１とを、それぞれ、独立して冷却水が内部循環するので、ヘッド側流路１１の方がブロック側流路２１よりも水温上昇が早く、すなわち、シリンダヘッド３の方がシリンダブロック４よりも温度上昇が早い。
【００６０】
これに対して、ヘッド側流路１１とブロック側流路２１とを冷却水が独立して内部循環せず、ヘッド側流路１１とブロック側流路２１との上流側で冷却水が分流し、ヘッド側流路１１とブロック側流路２１の下流側で冷却水が合流する場合では、ヘッド側流路１１、ブロック側流路２１から流出の冷却水が混合するので、ヘッド側流路１１とブロック側流路２１での水温上昇は同程度となってしまう。
【００６１】
このため、通常、シリンダヘッド３の温度が低いほど、燃料噴射量を多くする燃料噴射量制御がされるところ、本実施形態によれば、ヘッド側流路１１とブロック側流路２１とを独立して冷却水が内部循環しない場合と比較して、シリンダヘッド３の温度上昇が早いので、燃料噴射量の早期減量による燃費向上が可能となる。
【００６２】
〈暖機後半時かつ空調ＯＮ時〉
図６は、暖機後半時かつ空調装置作動時での冷却水の循環経路を示している。ここでいう暖機後半時とは、ブロック側流路２１の冷却水温度が、所定温度よりも低く、かつ、ヘッド側流路１１の冷却水温度よりも高い場合である。したがって、エンジンＥＣＵ４０は、第２水温センサ４２で検出した冷却水温度が、所定温度よりも低く、かつ、第１水温センサ４１で検出した冷却水温度よりも高い場合に、暖機後半時であると判定する。
【００６３】
暖機後半時では、ヘッド側流路１１、ブロック側流路２１から流出の冷却水が、どちらも第１サーモスタット１４の開弁温度以上であって第２サーモスタット２４の開弁温度以下の温度まで水温が上昇することで、図６に示すように、第１冷却水回路１０では、第１サーモスタット１４が開弁して、第１ラジエータ１２に冷却水が流入するが、第２冷却水回路２０では、第２サーモスタット２４が開弁せず、第２ラジエータ２２に冷却水が循環しない内部循環が継続される。
【００６４】
このため、図４に示すように、ヘッド側流路１１から流出の冷却水温度はほぼ一定になるが、ブロック側流路２１から流出の冷却水温度は、時間経過に伴い上昇し続けるので、ブロック側流路２１から流出の冷却水の温度が、ヘッド側流路１１から流出の冷却水の温度よりも高くなる。
【００６５】
そこで、暖機後半時かつ空調ＯＮ時では、エンジンＥＣＵ４０は、ヒータコア３１に流出入する冷却水経路が、第２冷却水回路２０からヒータコア３１に流入して第２冷却水回路２０に冷却水が戻る冷却水経路となるように、第１、第２経路切替弁３２、３３を制御する。
【００６６】
また、図４に示すように、エンジンＥＣＵ４０は、ブロック側流路２１を流れる冷却水の流量が、エンジン暖機を促進しつつ、空調のために要求される必要最低限の空調要求流量となるように、第２ウォータポンプ２５の回転数（冷却水流量）を制御する。一方、ヘッド側流路１１を流れる冷却水流量は、シリンダヘッド３の所望の冷却を行えれば良いので、シリンダヘッド３の冷却に必要な流量となるように、第１ウォータポンプ１５の回転数（冷却水流量）を制御する。
【００６７】
〈高負荷運転時かつ空調ＯＮ時〉
図７は、高負荷運転時かつ空調装置作動（空調ＯＮ）時での冷却水の循環経路を示している。ここでいう高負荷運転時は、エンジンＥＣＵ４０がエンジン回転数や空気吸入量等の運転状態に関する情報に基づいて導かれるエンジン負荷が予め定められた所定値よりも高いと判定した場合である。
【００６８】
この暖機後高負荷時かつ空調ＯＮ時では、エンジンＥＣＵ４０は、ヒータコア３１に流出入する冷却水経路が、第２冷却水回路２０からヒータコア３１に流入して第２冷却水回路２０に冷却水が戻る冷却水経路となるように、第１、第２経路切替弁３２、３３を制御する。
【００６９】
また、図４に示すように、エンジンＥＣＵ４０は、シリンダヘッド３の冷却に必要な流量となるように、第１ウォータポンプ１５の回転数（冷却水流量）を制御する。具体的には、シリンダヘッド３を積極的に冷却してノッキングを抑制するために、ヘッド側流路１１から流出の冷却水温度が、例えば、４０〜６０℃となる冷却水流量とする。このときの冷却水温度は空調に必要な最低温度（空調要求温度）よりも低い温度であり、このときの冷却水流量は空調要求流量よりも大流量である。
【００７０】
また、図４に示すように、エンジンＥＣＵ４０は、ブロック側流路２１を流れる冷却水の流量が、シリンダヘッド３の冷却に必要な流量、かつ、空調要求流量以上となるように、第２ウォータポンプ２５の回転数（冷却水流量）を制御する。具体的には、エンジン内部のフリクション増大を抑制しつつ、暖房性能を維持できるように、ブロック側流路２１から流出の冷却水温度が、所定温度以上、例えば、８０〜９０℃となる冷却水流量とする。
【００７１】
これにより、第１冷却水回路１０においては、第１ラジエータ１２で第２ラジエータ２２よりも低温にされた冷却水が、ヘッド側流路１１に大流量流入するので、高負荷運転時のノッキング発生を効果的に抑制できる。
【００７２】
一方、第２冷却水回路２０においては、第１ラジエータ１１流出の冷却水よりも高温である第２ラジエータ２２流出の冷却水が、シリンダブロック４を過冷却しない程度の流量にて、ブロック側流路２１に流入するので、フリクション増大を効果的に抑制できる。
【００７３】
また、ヒータコア３１においては、ヘッド側流路１１から流出の冷却水をヒータコア３１に大流量流入させると、暖房性能が維持できなくなってしまうため、ヘッド側流路１１から流出の冷却水ではなく、ブロック側流路２１から流出の冷却水をヒータコア３１に流入させることにより、暖房性能維持が可能となる。
【００７４】
〈低負荷運転時かつ空調ＯＮ時〉
図８は、低負荷運転時かつ空調装置作動（空調ＯＮ）時での冷却水の循環経路を示している。ここでいう低負荷運転時は、エンジンＥＣＵ４０がエンジン回転数や空気吸入量等の運転状態に関する情報に基づいて導かれるエンジン負荷が予め定められた所定値よりも低いと判定した場合である。
【００７５】
低負荷運転時かつ空調ＯＮ時では、エンジンＥＣＵ４０は、第１、第２冷却水回路１０、２０の両方から冷却水が合流してヒータコア３１に流入した後、ヒータコア３１流出の冷却水が分流して第１、第２冷却水回路１０、２０に流入するように、第１、第２経路切替弁３２、３３を制御する。
【００７６】
また、図４に示すように、エンジンＥＣＵ４０は、ヘッド側流路１１の冷却水流量およびブロック側流路２１の冷却水流量が、シリンダヘッド３およびシリンダブロック４の冷却に必要な最低流量となるように、第１、第２ウォータポンプ１５、２５の回転数を制御する。
【００７７】
ここで、ヘッド側流路１１の冷却水流量を低流量とすると、ヘッド側流路１１から流出の冷却水温度が高負荷運転時と比較して高温となるので、ヘッド側流路１１から流出の冷却水を暖房熱源として利用することが可能となる。
【００７８】
しかし、低負荷運転時に、ヘッド側流路１１のみならずブロック側流路２１も低流量制御を実施した場合、ヘッド側流路１１とブロック側流路２１のどちらか一方から流出の冷却水のみをヒータコア３１に流入させると、ヒータコアに流入する冷却水の流量が空調要求流量を満たさない。
【００７９】
そこで、この場合では、ヘッド側流路１１から流出の冷却水とブロック側流路２１から流出の冷却水とを合流させることにより、ヘッド側流路１１およびブロック側流路２１の冷却水流量を極力抑えつつ、空調要求流量以上の流量の冷却水をヒータコア３１へ導入することが可能となる。
【００８０】
なお、ブロック側流路２１の冷却水流量が空調要求流量以上の場合、高負荷運転時のように、ブロック側流路２１からの冷却水のみをヒータコア３１に流入させても良い。
【００８１】
〈空調ＯＦＦ時〉
図８は、空調装置停止（空調ＯＦＦ）時での冷却水の循環経路を示している。
【００８２】
空調ＯＦＦ時の場合、ヒータコア３１へ冷却水を導入する必要がなく、シリンダヘッド３およびシリンダブロック４に対して必要な冷却を行えば良い。
【００８３】
したがって、エンジンＥＣＵ４０は、ヒータコア回路３０の冷却水循環が停止するように、第１、第２経路切替弁３２、３３を制御するとともに、ヘッド側流路１１、ブロック側流路２１の冷却水流量が、シリンダヘッド３およびシリンダブロック４の冷却に必要な冷却水量となるように、第１、第２ウォータポンプ１５、２５の回転数を制御する。
【００８４】
これにより、第１、第２冷却水回路１０、２０では、それぞれ、ヒータコア回路３０に冷却水が流入することなく、冷却水が循環する。
【００８５】
次に、本実施形態の主な特徴について説明する。
【００８６】
（１）本実施形態によると、ヘッド側流路１１と第１ラジエータ２１との間で冷却水が循環する第１冷却水回路１０と、ブロック側流路２１と第２ラジエータ２２との間で冷却水が循環する第２冷却水回路２０とを独立して形成しているので、高負荷運転時では、ヘッド側流路１１から流出の冷却水温度を低く、ブロック側流路２１から流出の冷却水温度を高くするという冷却水の温度制御が可能である。
【００８７】
さらに、本実施形態では、ヒータコア３１に流出入する冷却水の経路を切り替える第１、第２経路切替弁３２、３３を設けているので、ヘッド側流路１１から流出の冷却水の温度が暖房性能を維持できない温度まで低くなっても、ブロック側流路２１から流出の冷却水をヒータコア３１に流入させるとともに、ブロック側流路２１から流出の冷却水の温度を暖房性能維持に必要な温度とすることで、暖房性能を維持できる。
【００８８】
よって、本実施形態によれば、ヘッド側流路とブロック側流路に対して冷却水を分配供給する構成の特許文献１に記載の冷却システムと比較して、暖房性能を維持しつつ、ヘッド側流路１１から流出の冷却水の温度をより低くすることが可能となる。
【００８９】
（２）特許文献１に記載のように、ヘッド側流路とブロック側流路の入口側で、ラジエータ放熱後の冷却水をヘッド側流路とブロック側流路に分配供給する構成の冷却システムでは、ヘッド側流路とブロック側流路の入口側の冷却水温度は同じとなってしまう。
【００９０】
このため、ヘッド側流路から流出の冷却水温度を比較的低温とし、ブロック側流路から流出の冷却水温度を比較的高温となるように、ヘッド側流路とブロック側流路の分配流量を調整すると、ブロック側流路の入口側温度と出口側温度の差が大きくなり、シリンダブロックに熱歪みが発生する恐れがある。
【００９１】
これに対して、本実施形態では、第１、第２冷却水回路１０、２０を互いに独立して形成しているので、ブロック側流路２１に流入する冷却水の温度を、ヘッド側流路１１に流入する冷却水の温度と独立して制御できる。このため、本実施形態によれば、特許文献１に記載の冷却システムと比較して、ブロック側流路２１に流入する冷却水温度を高くでき、ブロック側流路２１の入口側と出口側の温度差を低減できる。よって、シリンダブロック４に発生する熱歪みを抑制できる。
【００９２】
（第２実施形態）
第１実施形態では、高負荷運転時に、ヘッド側流路１１から流出の冷却水よりも高温であるブロック側流路２１から流出の冷却水のみをヒータコア３１に流入させたが、第１、第２経路切替弁３２、３３によって、ヘッド側流路１１から流出の冷却水とブロック側流路２１から流出の冷却水との両方をヒータコア３１に流入させるようにしても良い。
【００９３】
この場合、ヘッド側流路１１から流出の冷却水とブロック側流路２１から流出の冷却水との流量割合を流量調整手段によって調整する。流量調整手段としては、第１、第２電動ウォータポンプ１５、２５を利用することができる。第１、第２ウォータポンプ１５、２５の流量制御によって、ヒータコア３１に流入する冷却水を任意の温度に調整することで、ヒータコア３１で加熱後の空気温度を制御することも可能となる。
【００９４】
なお、流量調整手段として第１、第２電動ウォータポンプ１５、２５を利用する代わりに、第１流路切替弁３２に流量調整機能を持たせても良い。この場合、第１流路切替弁３２を、第１冷却水回路１０側に連なる流路と第２冷却水回路２０側に連なる流路のそれぞれの開口面積が変化可能な構造とすれば良い。
【００９５】
また、高負荷運転時に限らず、低負荷運転時であっても、ヘッド側流路１１から流出の冷却水が低温であり、ブロック側流路から流出の冷却水が高温であれば、本実施形態と同様に、両方の冷却水の流量調整によって、ヒータコア３１に流入する冷却水の温度を調整しても良い。
【００９６】
（他の実施形態）
（１）上述の実施形態では、第１冷却水回路１０の第１分岐部１６と第１合流部１７との間や、第２冷却水回路２０の第２分岐部２６と第２合流部２７との間は、常に、冷却水が流通可能であったため、各冷却水回路１０、２０からヒータコア３１に冷却水を導く際に、ヒータコア３１を迂回する冷却水流れが形成されてしまう。そこで、第１冷却水回路１０の第１分岐部１６と第１合流部１７との間や、第２冷却水回路２０の第２分岐部２６と第２合流部２７との間に、開閉弁等を設けることにより、ヒータコア３１に冷却水を導く際に、ヒータコア３１を迂回する冷却水流れが形成されないようにすることもできる。
【００９７】
（２）上述の実施形態では、経路切替手段として用いた第１、第２経路切替弁３２、３３は、第１冷却水回路１０からヒータコア３１に流入して第１冷却水回路１０に冷却水が戻る冷却水経路と、第２冷却水回路１０からヒータコア３１に流入して第２冷却水回路２０に冷却水が戻る冷却水経路との一方もしくはその両方のいずれかに切り替える構成であったが、一方のみに切り替える構成であっても良い。この場合、経路切替手段を、例えば、ヒータコア３１の上流側で第１分岐部１６、第２分岐部２６にそれぞれ連なる通路およびヒータコア３１の下流側で第１合流部１７、第２合流部２７にそれぞれ連なる通路の各通路に設置した開閉弁で構成しても良い。
【００９８】
（３）上述の実施形態では、第１ラジエータ１２の方が第２ラジエータ２２よりも冷却性能（放熱性能）が高かったが、第１、第２ラジエータ１２、２２の放熱性能を同じとしても良い。この場合であっても、第１、第２冷却水回路１０、２０それぞれの冷却水流量の制御や、第１、第２サーモスタットの開弁設定温度によって、ヘッド側流路１１、ブロック側流路２１から流出の冷却水温度を異ならせることができる。
【００９９】
（４）上述の実施形態では、エンジンＥＣＵ４０とエアコンＥＣＵとを別々の電子制御装置として構成したが、これらを１つの電子制御装置として構成しても良い。また、上述の実施形態のエンジンＥＣＵ４０を、燃料噴射制御を行う燃料噴射用と、エンジン冷却制御用のそれぞれの電子制御装置として構成しても良い。
【０１００】
（５）上述の実施形態では、第１、第２水温センサ４１、４２を、それぞれ、エンジン２の各冷却水出口３ｂ、４ｂの近傍に設けて、ヘッド側流路１１、ブロック側流路２１から流出の冷却水温度を検出したが、エンジン２の内部に設けて、ヘッド側流路１１、ブロック側流路２１内を流れる冷却水の温度を検出しても良い。
【０１０１】
（６）上述の実施形態では、第１、第２循環手段として、第１、第２電動ウォータポンプ１５、２５を採用したが、電動式ではなく、機械式のウォータポンプを採用しても良い。
【０１０２】
（７）第１実施形態では、第１、第２経路切替弁３２、３３の切替制御を、エンジン運転状態に応じて行ったが、単に、第１、第２水温センサの検出結果に基づいて、第１、第２経路切替弁の切替制御を行っても良い。
【０１０３】
（８）上述の各実施形態を実施可能な範囲で組み合わせても良い。
【符号の説明】
【０１０４】
２      エンジン（内燃機関）
３      シリンダヘッド
４      シリンダブロック
１０      第１冷却水回路
１１      ヘッド側流路
１２      第１ラジエータ（第１放熱器）
１５      第１ウォータポンプ（第１循環手段）    
２０      第２冷却水回路
２１      ブロック側流路
２２      第２ラジエータ（第２放熱器）
２５      第２ウォータポンプ（第２循環手段）
３１      ヒータコア（加熱用熱交換器）
３２      第１経路切替弁（経路切替手段）
３３      第２経路切替弁（経路切替手段）
４０      エンジンＥＣＵ（制御手段）
４１      第１水温センサ
４２      第２水温センサ
４３      回転数センサ（運転状態検出センサ）
４４      吸気量センサ（運転状態検出センサ）
【図１】
0005633199.tif 000002
【図２】
0005633199.tif 000003
【図３】
0005633199.tif 000004
【図４】
0005633199.tif 000005
【図５】
0005633199.tif 000006
【図６】
0005633199.tif 000007
【図７】
0005633199.tif 000008
【図８】
0005633199.tif 000009
【図９】
0005633199.tif 000010